【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
示差屈折率検出のためのフローセルであって、
縦軸に沿って第１端から第２端まで延在する透明体を備え、前記透明体が、
前記縦軸に沿って前記透明体の前記第１端と前記第２端との間での流体フローを可能にするように構成された、試料プリズムチャンバおよび
参照流体を収容するように構成された参照プリズムチャンバ
を画成し、
前記試料プリズムチャンバおよび参照プリズムチャンバがそれぞれ、前記縦軸に沿って流体フローの方向に延在する複数の溝を備えるグレーチングを備える、フローセル。
【請求項２】
前記グレーチングが、エシェルグレーチングである、請求項１に記載のフローセル。
【請求項３】
透明体が、第１および第２外側光学表面を含み、前記試料プリズムチャンバおよび参照プリズムチャンバが間に置かれ、ならびに
前記グレーチングが、互いに平行に、ならびに前記第１および第２外側光学表面に対して角度を付けて配置されている、請求項１に記載のフローセル。
【請求項４】
前記透明体が、前記試料プリズムチャンバおよび参照プリズムチャンバを分ける透明隔壁を備え、前記隔壁が前記試料プリズムチャンバの境界を画成する第１平滑表面および前記参照プリズムチャンバの境界を画成する、前記第１平滑表面に対向した第２平滑表面を備える、請求項１に記載のフローセル。
【請求項５】
前記透明体が、第１および第２外側光学表面を含み、前記試料プリズムチャンバおよび参照プリズムチャンバが間に置かれ、ならびに
前記透明隔壁の前記平滑表面が前記グレーチングに対して平行に、ならびに前記第１および第２外側光学表面に対して角度を付けて配置されている、請求項４に記載のフローセル。
【請求項６】
前記グレーチングが、前記プリズムチャンバに三角形断面を有するチャンバと同じ光学辺長を与えると同時に、前記プリズムチャンバに比較的より小さい断面積も与える、請求項１に記載のフローセル。
【請求項７】
前記グレーチングが、前記プリズムチャンバに、前記プリズムチャンバと同じ光学辺長を持つ三角形断面を有するチャンバの大きさの４分の１である断面積を与える、請求項６に記載のフローセル。
【請求項８】
前記透明体の少なくとも一部が、シリカで形成されている、請求項１に記載のフローセル。
【請求項９】
前記透明体の少なくとも一部が、光学グレードの透明ポリマーで形成されている、請求項１に記載のフローセル。
【請求項１０】
前記光学グレードの透明ポリマーが、ポリカーボネート、アクリルおよびシクロオレフィンポリマーから成る群から選択される、請求項９に記載のフローセル。
【請求項１１】
前記試料チャンバおよび参照チャンバを画成する前記透明体の表面上に保護表面層をさらに備え、前記保護表面層がクロマトグラフィー移動相に対して耐性である、請求項１に記載のフローセル。
【請求項１２】
示差屈折率検出のためのフローセルであって、
縦軸に沿って第１端から第２端まで延在する透明体を備え、前記透明体が、
前記縦軸に沿って前記透明体の前記第１端と前記第２端との間での流体フローを可能にするように構成された、第１プリズムチャンバおよび
第２プリズムチャンバを画成し、
前記第１プリズムチャンバが、前記縦軸に沿って流体フローの方向に延在する複数の溝を備えるグレーチングを備える、フローセル。
【請求項１３】
前記グレーチングが、エシェルグレーチングである、請求項１２に記載のフローセル。
【請求項１４】
前記透明体が、第１および第２外側光学表面を含み、前記第１および第２プリズムチャンバが間に置かれ、ならびに
前記グレーチングが、前記第１および第２外側光学表面に対して角度を付けて配置されている、請求項１２に記載のフローセル。
【請求項１５】
前記グレーチングが、前記第１および第２外側光学表面に対して約５度から約８５度の角度で配置されている、請求項１４に記載のフローセル。
【請求項１６】
前記グレーチングが、前記第１および第２外側光学表面に対して約４５度の角度で配置されている、請求項１５に記載のフローセル。
【請求項１７】
前記透明体が、前記試料プリズムチャンバおよび参照プリズムチャンバを分ける透明隔壁を備え、前記隔壁が前記試料プリズムチャンバの境界を画成する第１平滑表面および前記参照プリズムチャンバの境界を画成する、前記第１平滑表面に対向した第２平滑表面を備える、請求項１２に記載のフローセル。
【請求項１８】
前記透明体が、第１および第２外側光学表面を含み、前記第１および第２プリズムチャンバが間に置かれ、ならびに
前記透明隔壁の前記平滑表面が、前記グレーチングに対して平行に、ならびに前記第１および第２外側光学表面に対して角度を付けて配置されている、請求項１７に記載のフローセル。
【請求項１９】
前記透明体が、前記第１および第２外側光学表面に対して約５度から約８５度の角度で配置されている、請求項１８に記載のフローセル。
【請求項２０】
前記透明体が、前記第１および第２外側光学表面に対して約４５度の角度で配置されている、請求項１９に記載のフローセル。
【請求項２１】
前記グレーチングが、前記試料プリズムチャンバに三角形断面を有するチャンバと同じ光学辺長を与えると同時に、前記プリズムチャンバに比較的より小さい断面積も与える、請求項１に記載のフローセル。
【請求項２２】
前記グレーチングが、前記第１プリズムチャンバに、前記第１プリズムチャンバと同じ光学辺長を持つ三角形断面を有するチャンバの大きさの４分の１である断面積を与える、請求項２１に記載のフローセル。
【請求項２３】
前記透明体が、シリカで形成されている、請求項１２に記載のフローセル。
【請求項２４】
前記透明体が、光学グレードの透明ポリマーで形成されている、請求項１２に記載のフローセル。
【請求項２５】
前記光学グレードの透明ポリマーが、ポリカーボネートおよびシクロオレフィンポリマーから成る群から選択される、請求項２４に記載のフローセル。
【請求項２６】
前記回折グレーチングが、保護表面層を備える、請求項１に記載のフローセル。
【請求項２７】
試料プリズムチャンバおよび参照プリズムチャンバを含有するフローセルを通るように光学ビームを方向付ける段階、
前記試料プリズムチャンバを通じて流体フローを移送する段階、
前記光学ビームの検出された偏向に基づいて前記流体フロー中の検体の存在を検出する段階を含み、
前記試料プリズムチャンバが、前記流体フローの方向に対して平行に延在する複数の溝を備えるグレーチングを含む、方法。
【請求項２８】
前記光学ビームの偏向を１つ以上の検出器によって検出する段階を含む、請求項２７に記載の方法。
【請求項２９】
前記移送された流体フローが、分離装置からの溶離液を含む、請求項２７に記載の方法。
【請求項３０】
フローセルの透明体の少なくとも一部を形成するために光学グレード透明ポリマーを成形する段階であって、前記透明体が、
前記透明体を通じた流体フローを可能にするように構成され、グレーチングを備える、試料プリズムチャンバおよび
参照流体を収容するように構成された、参照プリズムチャンバ
を画成する段階、ならびに
前記試料チャンバおよび参照チャンバを前記試料チャンバおよび参照チャンバ内に含有される流体に対して耐性とするために、前記透明体の表面上に保護表面層を成膜する段階を含む、方法。